(57)【特許請求の範囲】
【請求項１】
人体に装着され、圧力容器内に圧縮充填された吸気ガスを、可撓性を有する吸気管を介して、供給する吸気ガス供給装置と、
人体の顔に装着され、吸気ガス供給装置の吸気管からの吸気ガスを、口または鼻に導く面体と、
圧縮容器内の吸気ガスの圧力を検出する圧力センサと、
吸気ガス供給装置に設けられ、圧力センサによって検出される圧力に関する情報を表示する第１表示手段と、
吸気ガス供給装置に設けられ、圧力センサによって検出される圧力に関する情報を、電磁波で送信する送信手段と、
面体に設けられ、送信手段からの圧力に関する情報を受信する受信手段と、
面体に、装着時の視野内で設けられ、受信手段によって受信された圧力に関する情報を表示する第２表示手段とを含み、
前記送信手段は、
送信手段の電源投入後、予め定める複数ビットから成るランダムなアドレスを作成する送信アドレス作成手段と、
送信アドレス作成手段によって作成されたアドレスを、ストアする送信用メモリと、
送信用メモリにストアされているアドレスと圧力に関する前記情報との組合せデータを、所定の時間ごとに繰返して、電磁波で送信する送信処理手段とを含み、
前記受信手段は、電磁波で送信された組合せデータを受信するように構成され、
予め定める複数回分のアドレスをストアするストア領域を有し、受信された組合せデータに含まれるアドレスが前記ストア領域に順次ストアされる受信用メモリと、
ストア領域にストアされている前記複数回分のアドレスのうち、アドレスの数が最多のアドレスを、自己のアドレスとして設定する受信アドレス設定手段と、
受信された組合せデータに含まれるアドレスと、受信アドレス設定手段によって設定された自己のアドレスとが一致しているときに、該組合せデータに含まれる圧力に関する情報を、第２表示手段に表示させる受信処理手段とを含み、
前記吸気管と面体とは、着脱可能であることを特徴とする呼吸器。
【請求項２】
第２表示手段は、発光素子を有し、
前記圧力に対応して点滅の周期または色のいずれか少なくとも一方が変化することを特徴とする請求項１記載の呼吸器。
【請求項３】
第１表示手段と送信手段とは、単一の送信用ハウジング内に設けられ、この送信用ハウジングは、人体の前方に配置されて吸気ガス供給装置に取付けられることを特徴とする請求項１または２記載の呼吸器。
【請求項４】
受信手段は、面体の側部に取付けられた受信用ハウジング内に設けられ、
受信用ハウジングに基端部が取付けられる屈曲して設定可能なアームの遊端部に、第２表示手段が固定されることを特徴とする請求項１〜３のいずれか１つに記載の呼吸器。
【請求項５】
送信用ハウジングには、上方に向けて圧力に関する前記情報を発生する送信用発光素子が設けられ、
受信用ハウジングには、下方に臨んで発光素子からの光を受光する受光素子が設けられることを特徴とする請求項４記載の呼吸器。
【請求項６】
吸気ガス供給装置には、送信手段のための送信用電池が収納され、
受信用ハウジングには、受信手段のための受信用電池が収納されることを特徴とする請求項４または５に記載の呼吸器。
【発明の詳細な説明】
【０００１】
【発明の属する技術分野】
本発明は呼吸器に関し、特に圧力容器内に圧縮充填された空気または酸素などの吸気ガスの圧力などの情報を表示するための構成に関する。
【０００２】
【従来の技術】
典型的な先行技術は、本件出願人による実開平１−９６２５８である。この先行技術では、背負具の肩ベルトを肩に掛けて圧力容器を背負い、圧力容器内の吸気ガスの圧力を表示する装置を、人体の胸の位置で肩ベルトに取付け、圧力容器内の吸気ガスは減圧されて面体に供給される。
【０００３】
この先行技術では、圧力表示を目視表示する装置が、前述のように人体の胸の位置にあり、したがって呼吸器を装着して消火などの作業をする装着者は呼吸器を装着した状態で、圧力状態表示装置を監視していなければならず、さもなければ圧力容器内の吸気ガスの残量が装着者の気がつかないうちに少なくなり、危険な状態に陥る結果になる。
【０００４】
【発明が解決しようとする課題】
本発明の目的は、圧力容器内の吸気ガスの残量などの状態を着装者の視野の一部に設けることにより装着者に常に知らせることができるようにし、安全性を高めることができる呼吸器を提供することである。
【０００５】
【課題を解決するための手段】
本発明は、人体に装着され、圧力容器内に圧縮充填された吸気ガスを、可撓性を有する吸気管を介して、供給する吸気ガス供給装置と、
人体の顔に装着され、吸気ガス供給装置の吸気管からの吸気ガスを、口または鼻に導く面体と、
圧縮容器内の吸気ガスの圧力を検出する圧力センサと、
吸気ガス供給装置に設けられ、圧力センサによって検出される圧力に関する情報を表示する第１表示手段と、
吸気ガス供給装置に設けられ、圧力センサによって検出される圧力に関する情報を、電磁波で送信する送信手段と、
面体に設けられ、送信手段からの圧力に関する情報を受信する受信手段と、
面体に、装着時の視野内で設けられ、受信手段によって受信された圧力に関する情報を表示する第２表示手段とを含み、
前記送信手段は、
送信手段の電源投入後、予め定める複数ビットから成るランダムなアドレスを作成する送信アドレス作成手段と、
送信アドレス作成手段によって作成されたアドレスを、ストアする送信用メモリと、
送信用メモリにストアされているアドレスと圧力に関する前記情報との組合せデータを、所定の時間ごとに繰返して、電磁波で送信する送信処理手段とを含み、
前記受信手段は、電磁波で送信された組合せデータを受信するように構成され、
予め定める複数回分のアドレスをストアするストア領域を有し、受信された組合せデータに含まれるアドレスが前記ストア領域に順次ストアされる受信用メモリと、
ストア領域にストアされている前記複数回分のアドレスのうち、アドレスの数が最多のアドレスを、自己のアドレスとして設定する受信アドレス設定手段と、
受信された組合せデータに含まれるアドレスと、受信アドレス設定手段によって設定された自己のアドレスとが一致しているときに、該組合せデータに含まれる圧力に関する情報を、第２表示手段に表示させる受信処理手段とを含み、
前記吸気管と面体とは、着脱可能であることを特徴とする呼吸器である。
【０００６】
また本発明は、第２表示手段は、発光素子を有し、
前記圧力に対応して点滅の周期または色のいずれか少なくとも一方が変化することを特徴とする。
【０００７】
本発明に従えば、人体に装着される吸気ガス供給装置に備えられている圧力容器からの吸気ガスは、たとえば減圧され、吸気管を介して、人体の顔面に装着された面体に供給され、これによって人体の口または鼻に吸気ガスが導かれる。
【０００８】
圧力センサは、圧力容器内の圧力を検出し、その圧力に関する情報は、人体に装着された吸気ガス供給装置に設けられた第１表示手段２２，３４によって表示される。これによって本件呼吸器を装着した装着者は、第１表示手段によって表示されている圧力に関する情報を目視して確認することができる。第１表示手段は、たとえば圧力に関する情報を音響表示する構成を有してもよく、またはそのほかの構成を有してもよい。
【０００９】
送信手段は、吸気ガス供給装置に設けられており、圧力に関する情報を、赤外線などの光または電波などの電磁波で送信し、この送信手段の出力は、面体に設けられた受信手段によって受信される。面体には、装着者が面体を装着している装着時における装着者の視野内に第２表示手段５９が設けられ、この第２表示手段によって、圧力に関する情報を目視表示する。第２表示手段の表示内容は、装着者の視野内に存在するので、装着者は常にその第２表示手段の表示内容を見ることができる。したがって装着者の気がつかないうちに、圧力容器内の吸気ガスの圧力が低下するなどして残量が減少していることに気がつかないという危険を回避することができる。こうして呼吸器の安全性が高められる。
【００１０】
圧力に関する情報というのは、吸気ガスの圧力の数値自体であってもよいけれども、その圧力の大小に対応して表示態様を変化して表示するための情報であってもよい。第１および第２表示手段は、そのような圧力を表す数値自体を表示するようにしてもよいけれども、その圧力の大小に対応して相互に異なる態様の表示を行うようにしてもよく、たとえば後述のように発光素子の点滅周期が圧力の大小に対応して変化し、または発光の色が圧力の大小に対応して異なる態様などで、圧力に関する情報を表示するようにしてもよい。
また、送信手段の電源を投入することによって、送信アドレス作成手段は、予め定める複数ビット、たとえば８ビットから成るひとつのアドレスを作成する。このアドレスの各ビットの論理値は、ランダムに設定される。したがって送信手段の電源投入のたび毎に、異なったアドレスが作成されることになる。ランダムなアドレスは、本発明の他の実施の形態では、複数種類の予め定められたアドレスのうちのひとつが選択されて導出されるように構成されてもよい。
送信手段の電源投入後に作成されたランダムなビット論理値を有するアドレスは、送信用メモリにストアされ、したがって一旦電源投入された後には、この送信用メモリが継続して用いられる。送信処理手段は、送信用メモリのアドレスと、圧力に関する情報との組合せデータを、たとえば２秒毎に繰返して、送信する。この組合せデータは、受信手段において受信される。受信手段の受信アドレス設定手段は、送信手段から送信される電磁波に含まれる複数回の受信による組合せデータをそれぞれ受信し、順次的な組合せデータのアドレスを、予め定める複数回分、たとえば１０回分メモリにストアしておき、これらの予め定める複数回分のアドレスを相互に比較し、最大回数、受信されたアドレスを、自己のアドレスとして設定し、受信用メモリにストアする。
こうして複数台の同一構成を有する呼吸器が準備され、これらの呼吸器が近接した場所で使用されているとき、自己の呼吸器の送信手段からのアドレスとは異なる他の呼吸器の送信手段からのアドレスを誤って受信手段で受信しても、上述のように予め定める複数回分のアドレスのうち、最大回数のアドレスを、自己のアドレスとして設定し、この設定されたアドレスに対応する前記情報を、受信処理手段で受信し、第２表示手段によって表示する。したがって他の呼吸器の圧力に関する情報が、自己の呼吸器の第２表示手段で表示される恐れはなく、安全性が向上される。
また、面体は、呼気管から管継手などによって離脱することができ、したがって顔に装着して汚損しやすい面体を、洗浄する作業が容易である。面体を識別するアドレスは、上述のようにランダムに変更可能であり、したがって複数の吸気ガス供給装置と複数の面体との組合せが異なっていても、本発明の実施が容易に可能である。
【００１１】
本発明に従えば、光または電波などの電磁波を用いて送信手段と受信手段とが圧力に関する情報を授受するので、電線を必要としない。したがって呼吸器の装着者が作業中に、その電線が障害物に引っ掛かるなどし、電線が断線する恐れがなく、作業性が向上され、また安全性が向上される。
【００１２】
また本発明は、第１表示手段と送信手段とは、単一の送信用ハウジング内に設けられ、この送信用ハウジングは、人体の前方に配置されて吸気ガス供給装置に取付けられることを特徴とする。
【００１３】
吸気ガス供給装置には、単一の送信用ハウジングが、人体の前方に配置されて取付けられ、この送信用ハウジング内に第１表示手段と送信手段とが設けられる。これによって構成の簡略化を図ることができる。
【００１４】
また本発明は、受信手段は、面体の側部に取付けられた受信用ハウジング内に設けられ、
受信用ハウジングに基端部が取付けられる屈曲して設定可能なアームの遊端部に、第２表示手段が固定されることを特徴とする。
【００１５】
面体の側部に受信用ハウジングが設けられ、この受信用ハウジングには、屈曲して設定可能なアームを介して第２表示手段が固定される。こうして構成の簡略化を図ることができるとともに、面体を装着する人の顔の形状などに応じて、第２表示手段を、その人の視野内に確実に配置することができる。アームは、可撓性を有し、しかも一旦設定した屈曲形状は、外力が作用しないうちは、元に戻るなどの変形をしない構成を有し、したがってばね力を有する構成とはなっていない。アームはその軸線に沿って連続的に屈曲する構成であってもよいけれども、複数の剛性リンクが連結された構成を有してもよく、さらにそのほかの構成を有してもよい。
【００１６】
また本発明は、送信用ハウジングには、上方に向けて圧力に関する前記情報を発生する送信用発光素子が設けられ、
受信用ハウジングには、下方に臨んで発光素子からの光を受光する受光素子が設けられることを特徴とする。
【００１７】
本発明に従えば、送信用ハウジングの送信用発光素子から上方に発生された光は、面体に設けられた受信用ハウジングの下方に臨む受光素子によって受光され、こうして発光素子による圧力に関する情報が、受光素子によって確実に受信される。
【００２３】
また本発明は、吸気ガス供給装置には、送信手段のための送信用電池が収納され、
受信用ハウジングには、受信手段のための受信用電池が収納されることを特徴とする。
【００２４】
本発明に従えば、各電池の電力が消耗されたときには、個別的に交換して取換えることができ、こうして送信手段と受信手段とのメンテナンスが容易であるとともに、送信手段の動作中、受信手段の受信用電池が一旦取外されて新たな受信用電池が装着されて再び電源投入されても、受信手段における適切なアドレスの設定が行われて受信用メモリに前述のようにストアされることができる。したがって操作性が良好である。
【００２５】
【発明の実施の形態】
図１は本発明の実施の一形態の開放式呼吸器１が装着者２に装着された状態を示す正面図であり、図２はその呼吸器１が装着者２に装着された状態を示す背面図である。この呼吸器１は基本的に、吸気ガス供給装置３と、その装着者２の人体の顔４に装着される面体５とを含む。
【００２６】
図３は、呼吸器１の簡略化した系統図である。圧力容器６内に圧縮充填された空気または酸素などの吸気ガスは、塞止弁７から管路８を経て減圧器９で減圧される。減圧後の吸気ガスは、可撓性を有する吸気管１０を経て面体５に供給される。
【００２７】
再び図１および図２を参照して、圧力容器６には前述の塞止弁７と減圧器９とが取付けられ、背負い具１１に取付けらえる。この背負い具１１には、装着者２の両肩にそれぞれ掛けられる一対の肩バンド１２，１３と、背負い具１１の下部を装着者の腰に固定する腰バンド１４とが取付けられ、肩バンド１２，１３は、装着者２の胸または腹部付近で相互に取外し可能な連結片１５によって連結される。
【００２８】
面体５は、吸気管１０からの吸気ガスが、肺力弁１６に与えられて、顔４の口または鼻を覆う面体本体１７に吸気ガスが供給される。面体本体１７内の呼気ガスは、呼気弁１８を介して外部に排出される。吸気管１０と面体本体１７とは、着脱可能な管継手１９によって取外し、また連結することができる。
【００２９】
図３に示される塞止弁７からの吸気ガスが供給される管路８には、導気管２１が分岐されて接続され、吸気ガスの圧力を表示する圧力指示計２２が接続される。導気管２１からの吸気ガスを利用し、圧力が異常に低下し、圧力容器６内の吸気ガスの残量が少なくなってきたとき、笛などの警報器２３によって警報音を発生する。圧力指示計２２は、本発明の第１表示手段を構成する。圧力指示計２２は、送信用ハウジング２５に取付けられる。
【００３０】
図４は送信用ハウジング２５の正面図であり、図５は図４のＶ−Ｖから見た簡略化した断面図である。ハウジング２５の正面に臨んで、圧力指示計２２が設けられ、この圧力指示計２２は、前述のように導気管２１に接続される。
【００３１】
図６は、送信用ハウジング２５に設けられる送信手段２６の電気的構成を示すブロック図である。マイクロコンピュータなどによって実現される送信処理回路２８は、送信用電池２９からの電力によって動作し、装着者２が電源スイッチ３１を操作することによって電源投入されて動作が開始される。送信用電池２９は、吸気ガス供給装置３の一部を構成する警告器２３のケーシング内に収納され、電線によって送信手段２６に電力を供給する。導気管２１の吸気ガスの圧力は圧力センサ３２によって検出され、その圧力を表す信号は、送信処理回路２８に与えられる。送信処理回路２８には、送信用メモリ３３が接続され、また圧力センサ３２によって検出された圧力を含む圧力に関する情報は、目視表示をする表示手段３４によって表示される。さらに送信処理回路２８は、駆動回路３５を動作させて送信用発光素子３６を駆動し、これによって赤外線の光信号が、面体５に向けて上方に発生される。表示手段３４もまた、本発明の第１表示手段を構成する。
【００３２】
送信用ハウジング２５の外表面には、透光性合成樹脂材料から成るカバー３７が固定される。このカバー３７内には、送信用発光素子３６が収納されて固定される。送信用発光素子３６からの光信号は、参照符３８で示されるように、上方に発生される。
【００３３】
図７は、送信処理回路２８の動作を説明するためのフローチャートである。電源スイッチ３１によって電源が投入されたことがステップａ１で判断されると、次のステップａ２では、その電源投入後、予め定める複数（たとえば８）ビットから成るランダムな各ビット論理値から成るアドレスを作成する。この作成されたアドレスは、送信用メモリ３３にストアされる。
【００３４】
ステップａ３では、送信用メモリ３３にストアされているアドレスと、圧力センサ３２によって検出された圧力に関する情報とから成る組合せデータを作成する。
【００３５】
図８は、図７のステップａ３において作成される組合せデータの構成を示す図である。組合せデータ４１は、その組合せデータ４１の開始を表すリーダ部４２と、そのリーダ部４２に後続する第１〜第４バイトのデータＤ１，Ｄ１ａ，Ｄ２，Ｄ２ａとを含む。データＤ１は、送信用メモリ３３にストアされている設定アドレスであり、データＤ１ａは、誤検出防止のためにデータＤ１の各ビットが反転されたデータである。データＤ２は、圧力に関する情報であり、誤検出防止のためにデータＤ２ａは、データＤ２の各ビットが反転されたデータである。この組合せデータ４１は、たとえば０．５秒間の期間で発生される。
【００３６】
図７のステップａ４では、送信処理回路２８は予め定める時間、たとえば２秒間毎に、組合せデータ４１を繰返して、駆動回路３５によって送信用発光素子３６を駆動して送信する。
【００３７】
図９は、面体５の側方から見た斜視図である。この面体５は、装着者２の前面に配置される透明なアイピース４４と、このアイピース４４を支持する支持体４５とによって構成される面体本体１７を有する。面体本体１７の下部には、前述の排力弁１６と呼気弁１８とが取付けられる。支持体４５には装着者２の頭部に固定的に装着される頭部ベルト４６が取付けられる。
【００３８】
本発明によれば特に、面体本体１７の側部には、受信用ハウジング４７が取付けられる。この受信用ハウジング４７には、アーム４８の基端部が取付けられる。アーム４８の遊端部には、第２表示手段を構成する表示用発光素子５９が固定される。
【００３９】
図１０は、面体５と受信用ハウジング４７とを分解した状態を示す斜視図である。面体５の面体本体１７において、アイピース４４と支持体４５との連結部付近に形成された外側方に突出するブラケット５１には、挿通孔５２が上下に延びて形成される。受信用ハウジング４７には、ブラケット５３が突設され、このブラケット５３には、挿通孔５４が形成される。各ブラケット５１，５３の挿通孔５２，５４を挿通する面ボルト５５には、ナット５６が螺着される。こうして面体本体１７には、縦に延びるボルト５５の軸線まわりに受信用ハウジング４７の角度を調整可能にして設定し、ボルト５５およびナット５６を締め付けることによって、受信用ハウジング４７を面体本体１７に固定することができる。
【００４０】
図１１は面体５を顔４に装着した状態を示す正面図であり、図１２はこの面体５を装着した状態を示す簡略化した平面図である。
【００４１】
アーム４８は可撓性を有し、外力を加えて調整した屈曲形状を、自然状態でそのまま保つことができる構成を有する。このようなアーム４８は、たとえば金属または合成樹脂などの材料から成るコイルなどによって実現することができる。表示用発光素子５９は、装着者２の顔４における視野５８内に存在するようにアイピース４４の近傍で、そのアイピース４４の前方に配置される。アーム４８を装着者２は操作し、屈曲し、表示用発光素子５９を、視野５８内で、その視野５８の外周部付近に配置し、これによって前方を見たときにおける表示用発光素子５９が前方の物体を見るときの障害になることはない。
【００４２】
図１３は受信用ハウジング４７の簡略化した縦断面図であり、図１４は受信用ハウジング４７の平面図である。このハウジング４７内には、受信手段６１が収納される。
【００４３】
図１５は、送信手段２６の電気的構成を示すブロック図である。マイクロコンピュータなどによって実現される受信処理回路６２には、受信用電池６３からの電力が与えられ、電源投入時に装着者２によって操作される電源スイッチ６４の操作によって、動作を開始する。
【００４４】
受信処理回路６２には、受光素子６６からの出力が与えられる。この受光素子６６は、送信手段２６の送信用発光素子３６からの光信号３８（図４および図５を参照）を受光する。
【００４５】
図１３に示される受信用ハウジング４７の下部６７は、透光性材料、たとえば透光性合成樹脂などから成る。受信用ハウジング４７内で下部６７に臨む受光素子６６が、取付けられる。受光素子６６は光信号３８を受光する。
【００４６】
再び図１５を参照して、受信処理回路６２には、受信用メモリ６８が接続される。受信処理回路６２は、駆動回路６９，７０によって、緑色表示用発光素子５９ａと赤色表示用発光素子５９ｂとをそれぞれ駆動する。受信処理回路６２は、受光素子６６によって受光された組合せデータ４１に含まれている圧力データＤ１が表す圧力値に対応して、緑色および赤色の各表示用発光素子５９ａ，５９ｂ（総括的に前述の参照符５９で示す）を選択的に点灯駆動し、またその点滅周期を圧力に対応して変化させる。
【００４７】
図１６は、処理回路６２によって駆動される緑色および赤色の各表示用発光素子５９ａ，５９ｂの表示態様を示す図である。圧力容器６内の吸気ガスの圧力Ｐが、呼吸器としての充分な使用を行うことができる予め定める高い圧力Ｐ１２以上であるとき、緑色表示用発光素子５９ａは、参照符５９ａ１で示されるように一定周期で点滅し、このとき赤色表示用発光素子５９ｂは、参照符５９ｂ１で示されるように、消灯されている。
【００４８】
図１７は、圧力容器６内の吸気ガスが予め定める圧力Ｐ１２以上であるときにおける表示用発光素子５９の動作を説明するための図である。図１７（１）に示されるように緑色表示用発光素子５９ａは上述のように緑色の発光状態を一定周期で点滅する。赤色表示用発光素子５９ｂは、図１７（２）に示されるように消灯したままである。
【００４９】
圧力容器６の吸気ガスの圧力Ｐが、前述の圧力Ｐ１２未満であって、それよりも低い予め定める圧力Ｐ１３以上であるとき（Ｐ１３≧Ｐ＞Ｐ１２）、緑色表示用発光素子５９ａは、図１６の参照符５９ａ２で示されるように、消灯動作される。圧力Ｐが、前述の圧力Ｐ１１〜Ｐ１３の範囲内における予め定める圧力Ｐ１２未満では、参照符５９ｂ２で示されるように、圧力の低下に伴って赤色表示用発光素子５９ｂの点滅周期が短くなる。圧力Ｐが圧力容器６の吸気ガスの残量がごくわずかである前述の圧力Ｐ１３未満になったとき、赤色表示用発光素子５９ｂは、参照符５９ｂ３で示されるように点灯したままに保たれ、このとき緑色表示用発光素子５９ａは、参照符５９ａ２で示されるように消灯したままである。
【００５０】
図１８は、圧力容器６内の吸気ガスの圧力Ｐが予め定める圧力Ｐ１２〜Ｐ１３の範囲内にあるときにおける表示用発光素子５９の動作を説明するための図である。図１８（１）は緑色表示用発光素子５９ａの消灯状態を示す。図１８（２）は赤色表示用発光素子５９ｂの点滅状態を示す。期間Ｗ１ｂは、点灯期間を示し、期間Ｗ２ｂは、周期を示す。周期Ｗ２ｂは、前述の図１６に関連して述べたライン５９ｂ２のように、圧力Ｐに対応して変化する。点灯期間Ｗ１ｂは、一定の値であってもよいけれども、圧力Ｐに対応して変化されてもよく、たとえば周期Ｗ２ｂが短くなるにつれて、期間Ｗ１ｂが短くなるように設定されてもよい。
【００５１】
図１９は、受信処理回路６２の動作を説明するためのフローチャートである。
ステップｂ１において受信手段６１の電源スイッチ６４が操作されて電源投入されたかどうかが判断される。電源投入後、ステップｂ２では、受信用メモリ６８の送信元アドレス領域Ｓ１の内容をクリアする。このアドレス領域Ｓ１は、送信手段２６と受信手段６１との組合せにおいて用いられる送信手段２６による設定アドレスがストアされる領域である。
【００５２】
ステップｂ３では、受光素子６６によって送信用発光素子３６からの組合せデータ４１が受信されたかどうかが判断され、受信されたとき、誤検出が生じていないデータＤ１，Ｄ２を、メモリ６８のアドレス領域Ｓ１とストア領域Ｓ２とに転送してそれぞれストアする。ステップｂ５では、データＤ２が表すストア領域Ｓ２にストアされた圧力容器６の給気ガスの圧力を、前述の図１６に示されるように緑色および赤色の各表示用発光素子５９ａ，５９ｂを駆動して表示動作を行う。
【００５３】
ステップｂ６において、さらに繰返し組合せデータ４１を受信しているかどうかを判断し、受信していれば、ステップｂ７に移り、アドレスデータＤ１が、アドレス領域Ｓ１にすでにストアされているデータと同一であるかどうかを判断する。受信したアドレスデータＤ１が、アドレス領域Ｓ１にストアされている設定アドレスと同一であれば、ステップｂ８において、新たな圧力データＤ２が表す圧力を、表示用発光素子５９によって表示する。
【００５４】
ステップｂ９において、予め定める複数回（たとえばこの実施の形態では１０回）にわたる組合せデータ４１に含まれるアドレスＤ１を、受信用メモリ６８の１０個のアドレス領域Ｓ１１〜Ｓ２０に順次的にそれぞれストアする。ステップｂ１０では、１０回分の各組合せデータ４１に含まれる前記複数回（すなわちこの実施の形態では１０回）毎のアドレスＤ１のうち、最大回数のアドレスを、自己のアドレスとしてアドレス領域Ｓ１にストアして設定する。ステップｂ１０において受信用メモリ６８で設定アドレスをアドレス領域Ｓ１にストアした後、ステップｂ６に戻り、上述の動作を繰返す。
【００５５】
図２０は、受信処理回路６２の図１９におけるステップｂ６〜ｂ１０の動作を説明するための図である。送信手段２６から繰返して送信される組合せデータ４１に含まれるアドレスデータは、受信用メモリ６８の予め定める複数回（この実施の形態では前述のように１０回）分のアドレスデータをストアする領域に順次的にストアされる。たとえば図２０において参照符７４で示されるように、受信用メモリ６８のストア領域Ｓ１１〜Ｓ２０には、各回毎のアドレスデータＤ１の内容であるアドレスＳＸ１，ＳＸ２，…が１０個分、順次的にストアされて更新される。先ず、これらの各アドレス領域ＳＸ１〜ＳＸ１０のうち、同一のものの数を計数し、その最大回数のアドレスを、前述のように自己のアドレスとして、図１９のステップｂ１０で設定する。
【００５６】
次の新たな組合せデータ４１が受信されたとき、受信用メモリ６８には、１０回分のストア領域Ｓ１１〜Ｓ２０に、新たなアドレスデータＳＸ２〜ＳＸ１１をストアし、これらのアドレスデータＳＸ２〜ＳＸ１１のうち、最大回数の同一アドレスを、前述のように自己のアドレスとして設定する。さらにその後の次の組合せデータ４１を受信したとき、参照符７６で示されるように、アドレスＳＸ３〜ＳＸ１２のうち、最大回数のアドレスを、自己のアドレスとして設定する。このようにして送信手段２６において電源投入直後にランダムに設定されたアドレスを、その後、継続して用い、受信手段６１では、他の呼吸器からの組合せデータ４１が受信されたとしても、自己の対応する設定アドレスを用いて、設定アドレスと同一のアドレスを有する最新の組合せデータに含まれる圧力データＤ２が表す圧力に関する情報を表示用発光素子５９で表示することができ、圧力表示が誤りなく確実に行われ、したがって安全性が高められる。またこのような構成によれば、管継手１９によって面体５と吸気管１０とが取外された後、他の面体５が接続されたときにおいても、その面体５に取付けられている受信手段６１のアドレスを、送信手段２６に対応して正確にアドレスを設定しなおすことができる。
【００５７】
本発明は、開放式呼吸器１に関連して実施されるだけでなく、閉鎖式呼吸器。およびそのほかの呼吸器に関連して広範囲に実施することができる。
【００５８】
【発明の効果】
本発明によれば、圧力容器の吸気ガスの圧力に関する情報は、光または電波などの電磁波によって送信手段から受信手段に与えられ、面体に設けられている第２表示手段によって、装着者の視野内で表示されるので、圧力に関する情報を、本件呼吸器の装着者が見落とす恐れはなく、安全性が確保される。またこの圧力に関する情報は、吸気ガス供給装置に設けられた第１表示手段によっても表示され、このことによってもまた安全性が確保され、たとえば第２表示手段が故障したときであっても、第１表示手段による圧力に関する情報の表示を得ることができる。
【００５９】
第２表示手段は発光素子によって実現され、その点滅周期または発光色のいずれか少なくとも一方を変化して表示態様を異ならせ、圧力の大小の変化を、装着者が容易に把握することができるようになる。このことは呼吸器が使用される悪環境下における良好な作業性を得ることができるようになる。
【００６０】
また本発明によれば送信用ハウジングと受信用ハウジングとを用い、構成の簡略化を図り、組立て作業を容易にし、また障害物によって電線が引っ掛かって故障するなどの問題を防ぐことができる。
【００６１】
さらにこの送信用ハウジングは、たとえば装着者の胸の位置に配置され、その発光素子から上方に放射される光を、面体の受信用ハウジングに設けられた受光素子で受光し、こうして光信号の送受信を確実に行うことができ、圧力に関する情報の授受が確実になる。
【００６２】
さらに本発明によれば、送信手段の電源投入のたびに、ランダムなアドレスが作成され、面体の受信手段では、複数回の組合せデータに含まれる各アドレスのうち、最大回数の同一アドレスを、自己のアドレスとして設定するようにしたので、送受信手段の相互の各アドレスを装着者が予め設定しておく必要はなく、自動的なアドレス設定動作が行われ、またこのことは特に人体の顔に装着されて汚損しやすい面体を、吸気管内から取外して洗浄する際、および故障の修理時などにおいて、作業性が良好であるという優れた効果が達成される。さらに送受信手段の各ハウジングでは、送信用電池と受信用電池とが個別的に準備されて用いられるので、このことによってもまたメンテナンスが容易になるとともに、電力を供給する電線を省略し、使い勝手が向上されるとともに、そのような電線が障害物に引っ掛かって故障を生じるなどの恐れがなく、呼吸器の安全性が確保される。
【図面の簡単な説明】
【図１】本発明の実施の一形態の開放式呼吸器１が装着者２に装着された状態を示す正面図である。
【図２】図１の呼吸器１が装着者２に装着された状態を示す背面図である。
【図３】呼吸器１の簡略化した系統図である。
【図４】送信用ハウジング２５の正面図である。
【図５】図４のＶ−Ｖから見た簡略化した断面図である。
【図６】送信用ハウジング２５に設けられる送信手段２６の電気的構成を示すブロック図である。
【図７】送信処理回路２８の動作を説明するためのフローチャートである。
【図８】図７のステップａ３において作成される組合せデータの構成を示す図である。
【図９】面体５の側方から見た斜視図である。
【図１０】面体５と受信用ハウジング４７とを分解した状態を示す斜視図である。
【図１１】面体５を顔４に装着した状態を示す正面図である。
【図１２】面体５を装着した状態を示す簡略化した平面図である。
【図１３】受信用ハウジング４７の簡略化した縦断面図である。
【図１４】受信用ハウジング４７の平面図である。
【図１５】送信手段２６の電気的構成を示すブロック図である。
【図１６】処理回路６２によって駆動される緑色および赤色の各表示用発光素子５９ａ，５９ｂの表示態様を示す図である。
【図１７】圧力容器６内の吸気ガスが予め定める圧力Ｐ１１以上であるときにおける表示用発光素子５９の動作を説明するための図である。
【図１８】圧力容器６内の吸気ガスの圧力Ｐが予め定める圧力Ｐ１２〜Ｐ１３の範囲内にあるときにおける表示用発光素子５９の動作を説明するための図である。
【図１９】受信処理回路６２の動作を説明するためのフローチャートである。
【図２０】受信処理回路６２の図１９におけるステップｂ６〜ｂ１０の動作を説明するための図である。
【符号の説明】
１  開放式呼吸器
２  装着者
３  吸気ガス供給装置
４  顔
５  面体
６  圧力容器
７  塞止弁
９  減圧器
１０  吸気管
１７  面体本体
１９  管継手
２２  圧力指示計
２５  送信用ハウジング
２６  送信手段
２８  送信処理回路
２９  送信用電池
３１，６４  電源スイッチ
３２  圧力センサ
３３  送信用メモリ
３４  表示手段
３６  送信用発光素子
３８  光信号
４１  組合せデータ
４７  受信用ハウジング
４８  アーム
５８  視野
５９  表示用発光素子
６１  受信手段
６２  受信処理回路
６３  受信用電池
６６  受光素子
６８  受信用メモリ
【図１】
0004580083.tif 000002
【図２】
0004580083.tif 000003
【図３】
0004580083.tif 000004
【図４】
0004580083.tif 000005
【図５】
0004580083.tif 000006
【図６】
0004580083.tif 000007
【図７】
0004580083.tif 000008
【図８】
0004580083.tif 000009
【図９】
0004580083.tif 000010
【図１０】
0004580083.tif 000011
【図１１】
0004580083.tif 000012
【図１２】
0004580083.tif 000013
【図１３】
0004580083.tif 000014
【図１４】
0004580083.tif 000015
【図１５】
0004580083.tif 000016
【図１６】
0004580083.tif 000017
【図１７】
0004580083.tif 000018
【図１８】
0004580083.tif 000019
【図１９】
0004580083.tif 000020
【図２０】
0004580083.tif 000021